(57)【特許請求の範囲】
【請求項１】
筐体と、
前記筐体の外形を構成するケース体と、
前記筐体の内部に配置されシート状の被転写材に画像を形成する画像形成部と、
前記画像形成部により画像が形成された前記被転写材を前記筐体の内部から外部に排出する排出部と、
前記排出部から排出された前記被転写材が集積される集積部と、
前記ケース体の前記排出部と対向する側面を構成し、下側端部に配置された第１回動軸を有すると共に、前記筐体の内部が露出されない閉状態と、上側端部を前記筐体から離間する方向に開放し、前記筐体の内部が露出された開状態とに回動可能なカバー部と、
前記カバー部の前記上側端部において、自由端が前記集積部に向けて延在し、該集積部の一部を構成する横臥姿勢の第１状態と、前記集積部から外側へ向けて回動し、前記集積部へ排出された前記被転写材先端と当接する起立姿勢の第２状態とに第２回動軸を中心に回動可能に支持された板状部材を有するストッパ部であって、
前記ストッパ部は、前記カバー部の開放動作に伴って、横臥姿勢である第１状態から起立姿勢である第２状態に回動移動することを特徴とする
画像形成装置。
【請求項２】
前記ストッパ部は、前記カバー部が開状態において、重心が前記第２回動軸よりも前記水平方向外側に位置するよう配置される
請求項１に記載の画像形成装置。
【請求項３】
前記ストッパ部は、
前記第１状態における前記板状部材を水平方向と交差するように立ち上がる側に付勢する付勢部材と、
前記カバー部が前記閉状態の場合には前記付勢部材による該ストッパ部の移動を規制すると共に、前記カバー部が前記閉状態から前記開状態に遷移する間の所定状態において前記規制を解除して該ストッパ部の移動を可能とするロック機構と、
を備える
請求項１又は２に記載の画像形成装置。
【請求項４】
前記ストッパ部は、前記第２回動軸における回動角度を指標として、
前記第１状態に対応する第１角度位置と、
前記第２状態に対応する第２角度位置と、
前記付勢部材により回動移動された第３状態に対応する第３角度位置と、に回動移動可能に構成され、
前記カバー部は、前記ストッパ部が前記第３角度位置に移動された状態で前記開状態に移動される
請求項３に記載の画像形成装置。
【請求項５】
前記付勢部材は、前記第３角度位置に移動された前記ストッパ部が前記第１角度位置へ移動することを規制する
請求項４に記載の画像形成装置。
【請求項６】
前記ケース体における前記カバー部に近接する領域に形成され前記第１状態における前記ストッパ部が収容配置される凹部と、
前記ロック機構を構成する前記ストッパ部に形成される突起状の係合部と、前記凹部に形成され前記係合部が係合すると共に、係合状態において前記ストッパ部の前記付勢部材による回動移動を規制する舌片状の被係合部と、を備え、
前記係合部と前記被係合部とは、前記カバー部が前記閉状態から前記開状態に移動されることで係合状態が解消されるよう構成される
請求項３から５のいずれかに記載の画像形成装置。
【請求項７】
前記板状部材は、該板状部材における厚さ方向において前記第２回動軸から離間して配置され、
前記ストッパ部は、前記板状部材と前記第２回動軸とをつなぐように形成される連結部を有する
請求項１又は２に記載の画像形成装置。
【請求項８】
前記カバー部が前記開状態において、
前記ストッパ部は、前記カバー部における上側端部よりも垂直方向における上側に突出しないよう配置される
請求項１から７のいずれかに記載の画像形成装置。
【請求項９】
前記カバー部が前記開状態において、
前記ストッパ部は、該ストッパ部における前記第２回動軸側と反対側の端部が前記カバー部における上側端部よりも水平方向外側に位置するよう配置される
請求項１から８のいずれかに記載の画像形成装置。
【発明の詳細な説明】
【技術分野】
【０００１】
本発明は、コピー機等の画像形成装置に関する。
【背景技術】
【０００２】
従来、画像形成装置としてのコピー機等において、コンパクト化が進んでいる。ここで、コンパクト化されたコピー機等においては、トナー画像が形成された後に排紙された用紙を集積する集積部も小さくなるため、排紙された用紙が集積部からはみ出して床に落下する場合があった。
【０００３】
これに対し、排紙された用紙の落下を抑制するため、排紙部に対向するようにストッパ部材が設けられたコピー機が提案されている（例えば、特許文献１参照）。
【特許文献１】特開２００３−４０５１３号公報
【発明の開示】
【発明が解決しようとする課題】
【０００４】
しかし、特許文献１のコピー機において、ストッパ部材がトナー等の交換のために開閉する側面のカバー部に取り付けられている場合、交換作業の邪魔になる場合があった。
【０００５】
本発明は、カバー部の垂直方向上側に回動可能に取り付けられるストッパ部であって、カバー部を開状態にすることで内部部材の交換時に邪魔にならない位置に回動移動するストッパ部を有する画像形成装置を提供することを目的とする。
【課題を解決するための手段】
【０００６】
本発明は、筐体と、前記筐体の外形を構成するケース体と、前記筐体の内部に配置されシート状の被転写材に画像を形成する画像形成部と、前記画像形成部により画像が形成された前記被転写材を前記筐体の内部から外部に排出する排出部と、前記排出部から排出された前記被転写材が集積される集積部と、前記ケース体の前記排出部と対向する側面を構成し、下側端部に配置された第１回動軸を有すると共に、前記筐体の内部が露出されない閉状態と、上側端部を前記筐体から離間する方向に開放し、前記筐体の内部が露出された開状態とに回動可能なカバー部と、前記カバー部の前記上側端部において、自由端が前記集積部に向けて延在し、該集積部の一部を構成する横臥姿勢の第１状態と、前記集積部から外側へ向けて回動し、前記集積部へ排出された前記被転写材先端と当接する起立姿勢の第２状態とに第２回動軸を中心に回動可能に支持された板状部材を有するストッパ部であって、前記ストッパ部は、前記カバー部の開放動作に伴って、横臥姿勢である第１状態から起立姿勢である第２状態に回動移動することを特徴とする画像形成装置に関する。
【０００７】
本発明は、筐体と、前記筐体の外形を構成するケース体と、前記筐体の内部に配置されシート状の被転写材に画像を形成する画像形成部と、前記画像形成部により画像が形成された前記被転写材を前記筐体の内部から外部に排出する排出部と、前記排出部から排出された前記被転写材が集積される集積部と、前記ケース体における側面の一部を構成し垂直方向下側に配置された第１回動軸を有すると共に、前記筐体の内部が露出されない閉状態と垂直方向上側の上側端部を前記筐体から離間する方向である水平方向外側に移動して前記筐体の内部が露出された開状態とに回動移動可能に構成されるカバー部と、前記カバー部における前記上側端部に第２回動軸を中心に回動可能に取り付けられ板状部材を有するストッパ部であって、前記カバー部が閉状態において、前記集積部における前記排出部と対向する位置に配置されると共に、前記板状部材が水平方向に略平行となる第１状態と水平方向に交差するように立ち上がる第２状態とに前記第２回動軸を中心に回動移動可能に配置され、前記カバー部が開状態において、重心が前記第２回動軸よりも前記水平方向外側に位置するよう配置されるストッパ部と、を備える画像形成装置に関する。
【０００８】
また、前記ストッパ部は、前記第１状態における前記板状部材を水平方向と交差するように立ち上がる側に付勢する付勢部材と、前記カバー部が前記閉状態の場合には前記付勢部材による該ストッパ部の移動を規制すると共に、前記カバー部が前記閉状態から前記開状態に遷移する間の所定状態において前記規制を解除して該ストッパ部の移動を可能とするロック機構と、を備えることが好ましい。
【０００９】
また、前記ストッパ部は、前記第２回動軸における回動角度を指標として、前記第１状態に対応する第１角度位置と、前記第２状態に対応する第２角度位置と、前記付勢部材により回動移動された第３状態に対応する第３角度位置と、に回動移動可能に構成され、前記カバー部は、前記ストッパ部が前記第３角度位置に移動された状態で前記開状態に移動されることが好ましい。
【００１０】
また、前記付勢部材は、前記第３角度位置に移動された前記ストッパ部が前記第１角度位置へ移動することを規制することが好ましい。
【００１１】
また、前記ケース体における前記カバー部に近接する領域に形成され前記第１状態における前記ストッパ部が収容配置される凹部と、前記ロック機構を構成する前記ストッパ部に形成される突起状の係合部と、前記凹部に形成され前記係合部が係合すると共に、係合状態において前記ストッパ部の前記付勢部材による回動移動を規制する舌片状の被係合部と、を備え、前記係合部と前記被係合部とは、前記カバー部が前記閉状態から前記開状態に移動されることで係合状態が解消されるよう構成されることが好ましい。
【００１２】
また、前記板状部材は、該板状部材における厚さ方向において前記第２回動軸から離間して配置され、前記ストッパ部は、前記板状部材と前記第２回動軸とをつなぐように形成される連結部を有することが好ましい。
【００１３】
また、前記カバー部が前記開状態において、前記ストッパ部は、前記カバー部における上側端部よりも垂直方向における上側に突出しないよう配置されることが好ましい。
【００１４】
また、前記カバー部が前記開状態において、前記ストッパ部は、該ストッパ部における前記第２回動軸側と反対側の端部が前記カバー部における上側端部よりも水平方向外側に位置するよう配置されることが好ましい。
【発明の効果】
【００１５】
本発明によれば、カバー部の垂直方向上側に回動可能に取り付けられるストッパ部であって、カバー部を開状態にすることで内部部材の交換時に邪魔にならない位置に回動移動するストッパ部を有する画像形成装置を提供することができる。
【発明を実施するための最良の形態】
【００１６】
以下、図面を参照して本発明を実施するための最良の形態を説明する。
図１及び図２により、本実施形態における画像形成装置としてのコピー機１における全体構造を説明する。図１は、コピー機１の斜視図である。図２は、コピー機１における各構成要素の配置を説明するための左側面図である。本実施形態において、後述するカバー部Ｃ２が配置された側をコピー機１の前側とする。
【００１７】
図１及び図２に示すように、画像形成装置としてのコピー機１は、該コピー機１における上方側に配置される画像読取装置２００と、下方側に配置され画像読取装置２００からの画像情報に基づいてシート状の被転写材としての用紙Ｔにトナー画像を形成する筐体としての装置本体Ｍと、を備える。
【００１８】
画像読取装置２００は、蓋部材７０と、原稿Ｇの画像を読み込む読取部２０１と、を備える。
蓋部材７０は、読取部２０１に対して不図示の連結部により開閉可能に連結される。蓋部材７０は、後述する読取面２０２Ａを保護する機能を有する。
【００１９】
読取部２０１は、読取面２０２Ａと、内部に配置され読取面２０２Ａと平行な方向に移動するキャリッジ２１０と、を備える。
読取面２０２Ａは、原稿Ｇが載置されるコンタクトガラス２０２の垂直方向上面に沿って形成される。
【００２０】
キャリッジ２１０は、光路を形成する複数のミラー（不図示）と、結像レンズ（不図示）と、読取手段としてのＣＣＤ（不図示）と、ＣＣＤにより読み取られた画像データに対し所定の処理をすると共に該画像データを装置本体Ｍ側に出力させるＣＣＤ基板（不図示）と、を備える。キャリッジ２１０は、内部空間２０４における主走査方向Ｙと直交する副走査方向Ｘに一定速度で移動される。
これにより、読取面２０２Ａに載置された原稿Ｇの画像が読みとられる。
【００２１】
図１及び図２に示すように、装置本体Ｍにおける外形は、ケース体Ｃにより構成される。ケース体Ｃは、ケース本体Ｃ１と、カバー部Ｃ２とを有する。
カバー部Ｃ２は、ケース体Ｃの一部を構成する。カバー部Ｃ２は、該カバー部Ｃ２における垂直方向下側の下側端部Ｃ２ｂ側に配置される第１回動軸としての回動軸Ｚ１を中心として回動可能にケース本体Ｃ１に取り付けられる。
カバー部Ｃ２は、装置本体Ｍの内部が露出されない閉状態と、該カバー部Ｃ２における上側端部Ｃ２ａが水平方向外側に移動して装置本体Ｍの内部が露出される開状態になるよう回動移動される。
【００２２】
また、カバー部Ｃ２における垂直方向上側の上側端部Ｃ２ａには、ストッパ部としての第１ストッパ部１０１と第２ストッパ部１０２とが回動可能に取り付けられる。
具体的には、第１ストッパ部１０１は、第２回動軸としての回動軸Ｚ２を中心に回動可能に取り付けられる。第２ストッパ部１０２は、第２回動軸としての回動軸Ｚ３を中心に回動可能に取り付けられる。
【００２３】
第１ストッパ部１０１及び第２ストッパ部１０２は、後述する集積部としての排紙集積部Ｍ１における一端側に配置される。具体的には、第１ストッパ部１０１及び第２ストッパ部１０２は、排紙集積部Ｍ１における排紙部５０に対向する一端側に配置される。
【００２４】
第１ストッパ部１０１は、垂直方向に立ち上がるように回動移動可能に構成される（図６参照）。第１ストッパ部１０１が立ち上がるように回動移動されることで、排紙部５０から排出される用紙Ｔが排紙集積部Ｍ１からはみ出して床等に落下することが抑制される。第１ストッパ部１０１は、比較的大きな用紙（例えば、Ａ３サイズ）に対応するストッパ部である。
【００２５】
第２ストッパ部１０２は、垂直方向に立ち上がるように回動移動可能に構成される（図５参照）。第２ストッパ部１０２が立ち上がるように回動移動されることで、排紙部５０から排出される用紙Ｔが排紙集積部Ｍ１からはみ出して床等に落下することが抑制される。第２ストッパ部１０２は、比較的小さな用紙（例えば、Ａ４サイズ）に対応するストッパ部である。
ここで、カバー部Ｃ２、第１ストッパ部１０１及び第２ストッパ部１０２については、後に詳述する。
【００２６】
図２に示すように、装置本体Ｍは、所定の画像情報に基づいて用紙Ｔに所定の画像を形成する画像形成部Ｉと、用紙Ｔを画像形成部に給紙すると共に画像が形成された用紙Ｔを排紙する給排紙部とを有する。
【００２７】
図２に示すように、画像形成部Ｉは、感光体ドラム２と、帯電部１０と、レーザスキャナユニット４と、現像器１６と、トナーカートリッジ５と、トナー供給装置６と、転写ローラ８と、定着装置９とを備える。
また、給排紙部は、給紙カセット５２と、レジストローラ対８０と、用紙Ｔの搬送路Ｌと、排紙部５０と、を備える。
【００２８】
感光体ドラム２は、円筒形状の部材からなり、像担持体として機能する。感光体ドラム２は、図２に対して垂直な回転軸を中心に回転可能な態様で装置本体Ｍに配置される。感光体ドラム２の表面には、静電潜像が形成される。
【００２９】
帯電部１０は、感光体ドラム２の上方に配置される。帯電部１０は、感光体ドラム２の表面を一様に正（プラス極性）帯電させる。
【００３０】
レーザスキャナユニット４は、感光体ドラム２の上方に感光体ドラム２から離間して配置される。レーザスキャナユニット４は、不図示のレーザ光源、ポリゴンミラー、ポリゴンミラー駆動用モータ等を有して構成される。
レーザスキャナユニット４は、画像読取装置２００から出力された画像情報に基づいて、感光体ドラム２の表面を走査露光する。レーザスキャナユニット４により走査露光されることによって、感光体ドラム２の表面に帯電した電荷が除去される。これにより、感光体ドラム２の表面に静電潜像が形成される。
【００３１】
現像器１６は、感光体ドラム２の前方（図２における右側）に配置される。現像器１６は、感光体ドラム２に形成された静電潜像に単色（通常はブラック）のトナー画像を現像する。現像器１６は、感光体ドラム２に対向配置可能な現像ローラ１７とトナー攪拌用の攪拌ローラ１８とを有して構成される。
【００３２】
トナーカートリッジ５は、現像器１６に供給されるトナーを収容する。
トナー供給装置６は、トナーカートリッジ５に収容されたトナーを、現像器１６に供給する。トナーカートリッジ５は、交換できるよう着脱可能に取り付けられる。
トナーカートリッジ５は、上述のカバー部Ｃ２が回動移動されることで外部に露出されるよう配置される。言い換えると、トナーカートリッジ５を交換する場合、カバー部Ｃ２における上側端部Ｃ２ａは、トナーカートリッジ５が交換可能な程度に外部に露出されるよう水平方向外側に移動される。
【００３３】
ドラムクリーニング装置１１は、感光体ドラム２の後方（図２における左側）に配置される。ドラムクリーニング装置１１は、感光体ドラム２の表面に残留したトナーや付着物を除去する。
【００３４】
転写ローラ８は、感光体ドラム２の表面に現像されたトナー画像を用紙Ｔに転写させる。転写ローラ８には、不図示の電圧印加手段により、感光体ドラム２に現像されたトナー画像を用紙Ｔに転写させるための転写バイアスが印加される。
【００３５】
転写ローラ８は、感光体ドラム２に対して接離される。具体的には、転写ローラ８は、感光体ドラム２に当接される当接位置と、感光体ドラム２から離間する離間位置とに移動可能に構成される。詳細には、転写ローラ８は、感光体ドラム２に現像されたトナー画像を用紙Ｔに転写させる場合には当接位置に移動され、他の場合には離間位置に移動される。
【００３６】
感光体ドラム２と転写ローラ８とによって挟み込まれた用紙Ｔは、感光体ドラム２の表面（トナー画像が現像された側）に押し当てられる。このようにして転写部としての転写ニップＮが形成され、感光体ドラム２に現像されたトナー画像は、用紙Ｔに転写される。
【００３７】
定着装置９は、用紙Ｔに転写されたトナー画像を構成するトナーを溶融させて、用紙Ｔに定着させる。定着装置９は、ヒータにより加熱される加熱ローラ９ａと、加熱ローラ９ａに圧接される加圧ローラ９ｂと、を備える。加熱ローラ９ａと加圧ローラ９ｂとは、トナー画像が転写された用紙Ｔを挟持するようにして搬送する。用紙Ｔが加熱ローラ９ａと加圧ローラ９ｂとの間に挟持されるように搬送されることによって、用紙Ｔに転写されたトナーは、溶融し、定着する。
【００３８】
給紙カセット５２は、装置本体Ｍの下部に配置される。給紙カセット５２は、装置本体Ｍの前側（図２における右側）に水平方向に引き出し可能に配置される。給紙カセット５２は、用紙Ｔが載置される載置板６０を備えており、給紙カセット５２には、載置板６０に用紙Ｔが積層された状態で、用紙Ｔが収容される。カセット給紙部５１は、給紙カセット５２の用紙送り出し側端部（図２における右側端部）に配置される。カセット給紙部５１は、給紙カセット５２に収容された用紙Ｔを搬送路Ｌに送り出す。
カセット給紙部５１は、載置板６０に載置された用紙Ｔを取り出す前送りコロ６１と、用紙Ｔを１枚ずつ搬送路Ｌに送り出すローラ対６３とからなる重送防止機構を備える。
【００３９】
カセット給紙部５１と排紙部５０との間には、用紙Ｔを搬送する搬送路Ｌが形成される。搬送路Ｌは、カセット給紙部５１からレジストローラ対８０までの第１搬送路Ｌ１と、レジストローラ対８０から転写ローラ８までの第２搬送路Ｌ２と、転写ローラ８から定着装置９までの第３搬送路Ｌ３と、定着装置９から分岐部Ｐ２までの第４搬送路Ｌ４と、分岐部Ｐ２から排紙部５０までの第５搬送路Ｌ５とを有する。
【００４０】
第１搬送路Ｌ１の途中には、第１合流部Ｐ１が配置される。更に、搬送路Ｌは、分岐部Ｐ２から第１合流部Ｐ１までの戻し搬送路Ｌｂを有する。第１合流部Ｐ１は、第１搬送路Ｌ１と戻し搬送路Ｌｂとの合流部である。
【００４１】
転写ローラ８における用紙Ｔの搬送方向の上流側（図２における右側）には、レジストローラ対８０が配置される。レジストローラ対８０は、用紙Ｔのスキュー（斜め給紙）補正や、トナー画像とのタイミング調整を行うためのローラ対である。
【００４２】
戻し搬送路Ｌｂは、用紙Ｔの両面印刷を行う際に、既に印刷されている面とは反対面（非印刷面）を感光体ドラム２に対向させるために設けられる搬送路である。
戻し搬送路Ｌｂによれば、分岐部Ｐ２から排紙部５０側に搬送された用紙Ｔを表裏反転させて第１搬送路Ｌ１に戻すことができる。戻し搬送路Ｌｂにより表裏反転された用紙Ｔは、感光体ドラム２により非印刷面に対して所定のトナー画像が転写される。
【００４３】
第５搬送路Ｌ５における端部には、排紙部５０が形成される。排紙部５０は、装置本体Ｍにおける上方側に配置される。排紙部５０は、装置本体Ｍの前方（図２における右方）に向けて開口している。排紙部５０は、定着装置９によりトナーが定着された用紙Ｔを装置本体Ｍの外部に排紙する。
【００４４】
排紙部５０における開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、排紙部５０から排紙された、所定画像が転写された用紙Ｔが積層して集積される。
そして、上述の通り、排紙部５０から排出された用紙Ｔが排紙集積部Ｍ１からはみ出して床等に落下することを抑制するため、第１ストッパ部１０１及び第２ストッパ部１０２がカバー部Ｃ２に取り付けられる。
【００４５】
次いで、図３から図８により、カバー部Ｃ２、第１ストッパ部１０１及び第２ストッパ部１０２について詳述する。
図３は、第１状態における第１ストッパ部１０１及び第２ストッパ部１０２を説明する斜視図である。図４は、第１状態における第１ストッパ部１０１及び第２ストッパ部１０２を説明する断面図である。図５は、第２状態における第２ストッパ部１０２を説明する斜視図である。図６は、第２状態における第１ストッパ部１０１を説明する斜視図である。図７は、第２状態における第１ストッパ部１０１を説明する断面図である。図８は、第３状態における第１ストッパ部１０１及び付勢手段を説明する図である。
【００４６】
図３及び図４に示すように、第１ストッパ部１０１は、板状部材としての第１ストッパ部材１０１ａを有して構成される。第１ストッパ部１０１は、第１ストッパ部材１０１ａが回動軸Ｚ２を中心に回動可能となるようカバー部Ｃ２に取り付けられる。
第２ストッパ部１０２は、板状部材としての第２ストッパ部材１０２ａと、第２ストッパ部材１０２ａと該第２ストッパ部材１０２ａにおける厚さ方向に離間して配置される回動軸Ｚ３とをつなぐ連結部１０２ｂ（図６及び図７参照）とを有して構成される。第２ストッパ部１０２は、第２ストッパ部材１０２ａが回動軸Ｚ３を中心に回動可能となるようカバー部Ｃ２に取り付けられる。
【００４７】
図３及び図４に示すように、第１ストッパ部１０１及び第２ストッパ部１０２は、排紙集積部Ｍ１の一端に配置される。第１ストッパ部１０１及び第２ストッパ部１０２は、排紙集積部Ｍ１における排紙部５０と対向する一端に配置される。
【００４８】
第１ストッパ部１０１及び第２ストッパ部１０２は、排紙集積部Ｍ１の底面に形成された凹部１１０に収容されるようにして配置される。第１ストッパ部１０１及び第２ストッパ部１０２は、凹部１１０に収容配置された状態で排紙集積部Ｍ１における底面の一部を構成する。ここで、凹部１１０は、カバー部Ｃ２からケース本体Ｃ１にわたって形成される。
【００４９】
第１ストッパ部１０１及び第２ストッパ部１０２それぞれは、後述する板状部材としての第１ストッパ部材１０１ａ及び第２ストッパ部材１０２ａそれぞれが凹部１１０に収容配置されることで、水平方向に略平行（横臥姿勢）になる第１状態となる。
【００５０】
第１ストッパ部１０１及び第２ストッパ部１０２それぞれは、カバー部Ｃ２における上側端部Ｃ２ａに回動軸Ｚ２及び回動軸Ｚ３それぞれを中心に回動可能に取り付けられる。第１ストッパ部１０１及び第２ストッパ部１０２それぞれは、第１ストッパ部材１０１ａ及び第２ストッパ部材１０２ａそれぞれが水平方向に略平行になるように配置される第１状態と、第１ストッパ部材１０１ａ及び第２ストッパ部材１０２ａそれぞれが水平方向と交差するよう立ち上がる（起立姿勢）第２状態（図５及び図６参照）とに回動移動に配置される。
【００５１】
図５に示すように、第２ストッパ部１０２は、第１状態（図３参照）から第２ストッパ部材１０２ａが立ち上がるように回動移動されることで第２状態とすることができる。具体的には、第１状態の第２ストッパ部１０２における押下部１０２ｄを垂直方向下方に押下げることで、第１状態の第２ストッパ部１０２を第２状態にすることができる。
【００５２】
図５に示すように、第２ストッパ部１０２だけを回動移動させて第２状態にすることができる。第２状態になるように回動移動された第２ストッパ部１０２は、排紙部５０から排出された比較的小さな用紙Ｔがカバー部Ｃ２における上側端部Ｃ２ａをこえて外部に落下することを抑制する。
【００５３】
図６及び図７に示すように、第１ストッパ部１０１は、第１状態（図３参照）から第１ストッパ部材１０１ａが立ち上がるように回動移動することで第２状態となる。具体的には、凹部１１０に形成されるＵ字部１１０ａに指等を入れて第１状態の第１ストッパ部１０１における第１ストッパ部材１０１ａを立ち上がるように回動移動させることで、第１ストッパ部１０１を第２状態にすることができる。
【００５４】
図６及び図７に示すように、第１ストッパ部１０１だけを回動移動させて第２状態にすることができる。第２状態になるように回動移動された第１ストッパ部１０１は、排紙部５０から排出された比較的大きな用紙Ｔがカバー部Ｃ２における上側端部Ｃ２ａをこえて外部に落下することを抑制する。
【００５５】
ここで、図６に示すように、第１ストッパ部材１０１ａにおける側面には、突起状の係合部１１２ａ、１１２ｂが形成される。凹部１１０には、第１ストッパ部１０１が第１状態の場合における係合部１１２ａ、１１２ｂが対応する位置に舌片状の被係合部１１１ａ、１１１ｂが形成される。係合部１１２ａ、１１２ｂ及び被係合部１１１ａ、１１１ｂは、ロック機構を構成する。
【００５６】
第１ストッパ部１０１が第１状態において、係合部１１２ａ、１１２ｂは、被係合部１１１ａ、１１１ｂに係合する。係合部１１２ａ、１１２ｂが被係合部１１１ａ、１１１ｂに係合した係合状態において、第１ストッパ部１０１に加えられる後述の付勢力による第１ストッパ部１０１の回動移動は規制される。
【００５７】
係合部１１２ａ、１１２ｂと被係合部１１１ａ、１１１ｂとにおける係合状態は、第１ストッパ部１０１が回動軸Ｚ２を中心に回動移動されることで解除される。具体的には、係合部１１２ａ、１１２ｂが舌片状の被係合部１１１ａ、１１１ｂを変形させて乗りこえることで係合状態が解除される。
【００５８】
また、係合部１１２ａ、１１２ｂと被係合部１１１ａ、１１１ｂとにおける係合状態は、カバー部Ｃ２が回動軸Ｚ１を中心に回動移動（図９参照）されることで解除される。具体的には、係合部１１２ａ、１１２ｂが舌片状の被係合部１１１ａ、１１１ｂの下面を水平方向に移動することで係合状態が解除される。
係合部１１２ａ、１１２ｂと被係合部１１１ａ、１１１ｂとにおける係合状態が解除されることで、第１ストッパ部１０１は、回動軸Ｚ２を中心に回動移動される。
【００５９】
図８に示すように、第１ストッパ部１０１は、付勢手段としてのバネ部材１２１により垂直方向に立ち上がるように付勢される。第１ストッパ部１０１は、回動軸Ｚ２における回動角度を指標として、第１状態における第１角度位置から第３状態における第３角度位置側に回動するようバネ部材１２１により付勢される。
【００６０】
ここで、バネ部材１２１は、針金状の金属部材であって中央に巻き部１２１ｃが形成された部材である。バネ部材１２１は、巻き部１２１ｃの両側に連続する直線状の被当接部１２１ａ、１２１ｂを有する。
【００６１】
第１ストッパ部１０１には、バネ部材１２１における被当接部１２１ａ、１２１ｂの垂直方向下側に配置される細長い板状の当接部１２０ａ、１２０ｂが形成される。当接部１２０ａ、１２０ｂは、第１ストッパ部１０１が第１状態において、バネ部材１２１における被当接部１２１ａ、１２１ｂを垂直方向上側に押し上げた状態で配置される。これにより、当接部１２０ａ、１２０ｂには、垂直方向下側に移動するよう付勢力（弾性力）が加えられる。つまり、回動軸Ｚ２を挟んで位置する第１ストッパ部材１０１ａにおける先端側は、垂直方向上側に回動移動されるよう付勢される。
【００６２】
バネ部材１２１により回動移動されることで、第１ストッパ部１０１は、第３状態となる。上述の回動角度を指標とした場合、第１ストッパ部１０１は、第１角度位置と第２角度位置との間である第３角度位置に回動移動される。また、バネ部材１２１は、第３状態に移動された第１ストッパ部１０１における第１状態側への回動移動を規制する。回動角度を指標とした場合、第３角度位置に移動された第１ストッパ部１０１は、第１角度位置側への回動移動が規制される。
【００６３】
ここで、ロック機構により回動移動が規制されていた第１ストッパ部１０１は、カバー部Ｃ２を開状態に回動移動させる等によりロック機構による規制を解除することで、バネ部材１２１により回動移動されて第３状態となる。そして、後述の通り、カバー部Ｃ２は、ストッパ部１０１がバネ部材１２１により立ち上がるように回動移動されて第３状態になった状態で、開状態になるよう回動移動される。
【００６４】
続けて、図９から図１２Ｃにより、カバー部Ｃ２、第１ストッパ部１０１及び第２ストッパ部１０２の動作について説明する。
図９は、カバー部Ｃ２が閉状態から開状態に移動している状態におけるコピー機１の斜視図である。図１０は、カバー部Ｃ２が開状態になったコピー機１の斜視図である。図１１Ａは、カバー部Ｃ２が閉状態の場合における第１ストッパ部１０１を説明する図である。図１１Ｂは、カバー部Ｃ２が閉状態から開状態に回動移動がされた始めた状態における第１ストッパ部１０１を説明する図である。図１１Ｃは、カバー部Ｃ２が開状態になった直後の第１ストッパ部１０１を説明する図である。図１１Ｄは、カバー部Ｃ２が開状態になった状態における第１ストッパ部１０１を説明する図である。図１２Ａは、カバー部Ｃ２が閉状態の場合における第２ストッパ部１０２を説明する図である。図１２Ｂは、カバー部Ｃ２が開状態になった直後の第２ストッパ部１０２を説明する図である。図１２Ｃは、カバー部Ｃ２が開状態になった状態における第２ストッパ部１０２を説明する図である。
【００６５】
図９及び図１０に示すように、装置本体Ｍの内部を露出させてトナーカートリッジ５を交換するため、カバー部Ｃ２は閉状態から開状態に回動移動される。具体的には、カバー部Ｃ２は、カバー部Ｃ２における垂直方向上側の上側端部Ｃ２ａが水平方向外側に移動するように回動移動される。これにより、装置本体Ｍの側面における上方からトナーカートリッジ５の交換が可能な状態になる。
【００６６】
カバー部Ｃ２の上側端部Ｃ２ａにおいて、第１ストッパ部１０１及び第２ストッパ部１０２それぞれは、自由端が集積部Ｍ１に向けて延在し集積部Ｍ１の一部を構成する横臥姿勢の第１状態と、集積部Ｍ１から外側へ向けて回動移動し集積部Ｍ１へ排出された用紙Ｔの先端（外縁）と当接する起立姿勢の第２状態とに回動軸を中心に回動可能に支持される。第１ストッパ部１０１及び第２ストッパ部１０２それぞれは、カバー部Ｃ２の開放動作に伴って、横臥姿勢である第１状態から起立姿勢である第２状態に回動移動する。
【００６７】
そして、後述の通り、カバー部Ｃ２を開状態にすることで、カバー部Ｃ２の上側端部Ｃ２ａに取り付けられた第１ストッパ部１０１及び第２ストッパ部１０２は、水平方向外側に回動移動される。つまり、カバー部Ｃ２を開状態にすることで、第１ストッパ部１０１及び第２ストッパ部１０２は、トナーカートリッジ５を出し入れする領域から退避するよう回動移動される。
以下に、第１ストッパ部１０１及び第２ストッパ部１０２それぞれにおける動作について説明する。
【００６８】
まず、図１１Ａから図１１Ｄにより、第１ストッパ部１０１における動作について説明する。
図１１Ａに示すように、カバー部Ｃ２が閉状態において、第１ストッパ部１０１は水平方向に略平行になるよう配置される。第１ストッパ部１０１は、上述の通り、係合部１１２ａ、１１２ｂ（図６参照）と被係合部１１１ａ、１１１ｂ（図６参照）とが係合することで、バネ部材１２１（図８参照）からの付勢力による回動移動が規制された状態で配置される。ここで、重心Ｇ１は、第１ストッパ部１０１における重心である。
【００６９】
図１１Ｂに示すように、例えば、トナーカートリッジ５を交換するためにカバー部Ｃ２を閉状態から開状態に回動移動させることで、ロック機構が解除される。具体的には、閉状態のカバー部Ｃ２が矢印Ｆ１１方向に移動されると、係合部１１２ａ、１１２ｂ（図６参照）と被係合部１１１ａ、１１１ｂ（図６参照）との係合状態が解除される。これにより、第１ストッパ部１０１は、付勢手段としてのバネ部材１２１により矢印Ｆ１２方向に回動移動される。つまり、第１ストッパ部１０１は、カバー部Ｃ２が閉状態から開状態に遷移する間の所定状態において、第１状態から第３状態に移動される。上述の回動角度を指標とした場合、第１ストッパ部１０１は、カバー部Ｃ２が閉状態から開状態に遷移する間の所定状態において、第１角度位置から第３角度位置に回動移動される。第３角度位置に回動移動された第１ストッパ部１０１は、バネ部材１２１により第３角度位置よりも回動角度が小さくなることが規制される。
【００７０】
図１１Ｃに示すように、図１１Ｂのカバー部Ｃ２が矢印１３方向に更に回動移動されることで、カバー部Ｃ２は、開状態に回動移動される。カバー部Ｃ２は、第１ストッパ部１０１が第３角度位置に移動され第３状態になった状態で、開状態になるよう移動される。これにより、カバー部Ｃ２が開状態において、第１ストッパ部１０１における重心Ｇ１は、回動軸Ｚ２に対して水平方向外側に配置される。
【００７１】
図１１Ｄに示すように、カバー部Ｃ２が開状態において、第１ストッパ部１０１における重心Ｇ１が回動軸Ｚ２に対して水平方向外側に配置されるので（図１１Ｃ参照）、第１ストッパ部１０１は、自重により矢印Ｆ１４方向に回動移動される。つまり、カバー部Ｃ２が開状態になることで、第１ストッパ部１０１は、カバー部Ｃ２における上側端部Ｃ２ａよりも垂直方向における上側に位置しないよう回動移動される。言い換えると、内部部材としてのトナーカートリッジ５を交換する作業のためカバー部Ｃ２を開状態に移動させることで、第１ストッパ部１０１は、トナーカートリッジ５の交換作業において邪魔にならない位置に退避する。
【００７２】
ここで、カバー部Ｃ２の回動移動とバネ部材１２１による第１ストッパ部１０１の回動移動が同時になされる場合には、第１ストッパ部１０１は図１１Ｄに示すように矢印Ｆ１４方向へより移動しやすくなる。例えば、カバー部Ｃ２における回動角度が小さい段階（開状態になる手前）で第１ストッパ部１０１が図１１Ｄに示すように回動移動される。
【００７３】
続けて、図１２Ａから図１２Ｃにより、第２ストッパ部１０２における動作について説明する。
図１２Ａに示すように、カバー部Ｃ２が閉状態において、第２ストッパ部１０２は水平方向に略平行になるよう配置される。
第２ストッパ部１０２は、第２ストッパ部材１０２ａと、回動軸Ｚ３と第２ストッパ部材１０２ａとをつなぐ所定質量の連結部１０２ｂとを有する。回動軸Ｚ３は、第２ストッパ部材１０２ａから厚さ方向に所定距離だけ離間している。連結部１０２ｂは、離間した回動軸Ｚ３と第２ストッパ部材１０２ａとをつなぐように形成される。
【００７４】
重心Ｇ２は、第２ストッパ部１０２における重心である。重心Ｇ２は、回動軸Ｚ３から図１２Ａにおいて垂直方向上側であって回動軸Ｚ３側に位置する。これは、所定質量の第２ストッパ部材１０２ａが回動軸Ｚ３から図１２Ａにおいて垂直方向上側に離間して配置されていること、及び、所定質量の連結部１０２ｂが回動軸Ｚ３側に偏って形成されることによる。これにより、図１２Ｂに示すように、カバー部Ｃ２が開状態になった場合、重心Ｇ２は、回動軸Ｚ３よりも垂直方向外側に配置される。
【００７５】
図１２Ｂに示すように、図１２Ｂのカバー部Ｃ２が矢印２１方向に更に回動移動されることで、カバー部Ｃ２は、開状態に回動移動される。そして、カバー部Ｃ２が開状態において、第２ストッパ部１０２における重心Ｇ２は、回動軸Ｚ３に対して水平方向外側に配置される。
カバー部Ｃ２が開状態において、第２ストッパ部１０２における重心Ｇ２が回動軸Ｚ３に対して水平方向外側に配置されるので、第２ストッパ部１０２は、図１２Ｃに示すように、自重により矢印Ｆ２２方向に回動移動される。つまり、カバー部Ｃ２が開状態になることで、第２ストッパ部１０２は、カバー部Ｃ２における上側端部Ｃ２ａよりも垂直方向における上側に位置しないよう回動移動される。言い換えると、内部部材としてのトナーカートリッジ５を交換する作業のためカバー部Ｃ２を開状態に移動させることで、第２ストッパ部１０２はトナーカートリッジ５の交換作業において邪魔にならない位置に退避する。
【００７６】
本実施形態によれば、カバー部Ｃ２が開状態になった場合、第１ストッパ部１０１は、重心Ｇ１が回動軸Ｚ２よりも水平方向外側に位置するよう配置される。また、カバー部Ｃ２が開状態になった場合、第２ストッパ部１０２は、重心Ｇ２が回動軸Ｚ３よりも水平方向外側に位置するよう配置される。これにより、カバー部Ｃ２が開状態になった場合、第１ストッパ部１０１及び第２ストッパ部１０２は、自重によりカバー部Ｃ２における上側端部Ｃ２ａよりも垂直方向における上側に位置しないよう回動移動される。また、これにより、第１ストッパ部１０１及び第２ストッパ部１０２が自動的に退避するので、内部部材としてのトナーカートリッジ５を交換する作業において、第１ストッパ部１０１及び第２ストッパ部１０２が邪魔になることが抑制される。
【００７７】
以上、好適な実施形態について説明したが、本発明は上述した実施形態に限定されることなく種々の形態で実施することができる。例えば、本実施形態において、画像形成装置としてコピー機１につい説明しているが、これに限定されず、カラーコピー機、プリンタ、ファクシミリ及びこれらの複合機等であってもよい。
【００７８】
また、本実施形態において、トナーカートリッジ５を交換するためにカバー部Ｃ２を閉状態から開状態に回動移動させているが、これに限定されず、他の内部部材や内部ユニット等を交換するためにカバー部Ｃ２を開状態に回動移動させるように設計されていてもよい。
【図面の簡単な説明】
【００７９】
【図１】コピー機１の斜視図である。
【図２】コピー機１における各構成要素の配置を説明するための左側面図である。
【図３】第１状態における第１ストッパ部１０１及び第２ストッパ部１０２を説明する斜視図である。
【図４】第１状態における第１ストッパ部１０１及び第２ストッパ部１０２を説明する断面図である。
【図５】第２状態における第２ストッパ部１０２を説明する斜視図である。
【図６】第２状態における第１ストッパ部１０１を説明する斜視図である。
【図７】第２状態における第１ストッパ部１０１を説明する断面図である。
【図８】第３状態における第１ストッパ部１０１及び付勢手段を説明する図である。
【図９】カバー部Ｃ２が閉状態から開状態に移動している状態におけるコピー機１の斜視図である。
【図１０】カバー部Ｃ２が開状態になったコピー機１の斜視図である。
【図１１Ａ】カバー部Ｃ２が閉状態の場合における第１ストッパ部１０１を説明する図である。
【図１１Ｂ】カバー部Ｃ２が閉状態から開状態に回動移動がされた始めた状態における第１ストッパ部１０１を説明する図である。
【図１１Ｃ】カバー部Ｃ２が開状態になった直後の第１ストッパ部１０１を説明する図である。
【図１１Ｄ】カバー部Ｃ２が開状態になった状態における第１ストッパ部１０１を説明する図である。
【図１２Ａ】カバー部Ｃ２が閉状態の場合における第２ストッパ部１０２を説明する図である。
【図１２Ｂ】カバー部Ｃ２が開状態になった直後の第２ストッパ部１０２を説明する図である。
【図１２Ｃ】カバー部Ｃ２が開状態になった状態における第２ストッパ部１０２を説明する図である。
【符号の説明】
【００８０】
１……コピー機（画像形成装置）、５０……排紙部（排出部）、１０１……第１ストッパ部、（ストッパ部）、１０１ａ……第１ストッパ部材（板状部材）、１０２……第２ストッパ部（ストッパ部）、１０２ａ……第２ストッパ部材（板状部材）２００……画像読取装置、Ｃ……ケース体、Ｃ１……ケース本体、Ｃ２……カバー部、Ｃ２ａ……上側端部、Ｉ……画像形成部、Ｍ……装置本体（筐体）、Ｍ１……排紙集積部（集積部）、Ｔ……用紙（被転写材）、Ｚ１……回動軸（第１回動軸）、Ｚ２……回動軸（第２回動軸）、Ｚ３……回動軸（第２回動軸）
【図１】
0005156480.tif 000002
【図２】
0005156480.tif 000003
【図３】
0005156480.tif 000004
【図４】
0005156480.tif 000005
【図５】
0005156480.tif 000006
【図６】
0005156480.tif 000007
【図７】
0005156480.tif 000008
【図８】
0005156480.tif 000009
【図９】
0005156480.tif 000010
【図１０】
0005156480.tif 000011
【図１１Ａ】
0005156480.tif 000012
【図１１Ｂ】
0005156480.tif 000013
【図１１Ｃ】
0005156480.tif 000014
【図１１Ｄ】
0005156480.tif 000015
【図１２Ａ】
0005156480.tif 000016
【図１２Ｂ】
0005156480.tif 000017
【図１２Ｃ】
0005156480.tif 000018